(57)【要約】【課題】電話番号を覚えていることが少ない目的地に対して簡易な操作で電話をかけることができるようにする。【解決手段】メニュー情報の一部に「目的地に電話をかける」というメニュー項目を用意し、当該メニュー項目を階層構造の最上層または上から２番目の階層にて表示させて、この電話メニュー項目がユーザにより選択されたときに、ナビゲーション装置の施設リストから目的地の電話番号を取得して通話先として指定するようにすることにより、少なくとも１階層または２階層のメニュー操作のみで目的地の電話番号を通話先として指定できるようにする。【選択図】        図２
2004320564.tif 000002
【特許請求の範囲】
【請求項１】
目的地に電話をかける行為を表した電話メニュー項目をメニュー情報の一部として記憶するメニュー情報記憶手段と、
上記メニュー情報記憶手段から上記メニュー情報を読み出して表示する表示手段と、
上記表示手段により表示されたメニュー情報中から上記電話メニュー項目がユーザにより選択された場合に、各種施設に関して電話番号を含む各種情報を記憶した施設リストを参照して、上記目的地の電話番号を通話先として指定する電話番号指定手段とを備えたことを特徴とする車載電話機の通話先指定装置。
【請求項２】
上記メニュー情報記憶手段は、複数のメニュー項目を複数の階層に亘ってツリー状に関連付けて記憶し、上記電話メニュー項目は、最上層または上から２番目の階層に属することを特徴とする請求項１に記載の車載電話機の通話先指定装置。
【請求項３】
目的地に電話をかける行為を表したアイコン情報を記憶するアイコン情報記憶手段と、
上記目的地がナビゲーション装置に設定されている場合に、上記アイコン情報記憶手段から上記アイコン情報を読み出して表示する表示手段と、
上記表示手段により表示された上記アイコン情報がユーザにより選択された場合に、各種施設に関して電話番号を含む各種情報を記憶した施設リストを参照して、上記目的地の電話番号を通話先として指定する電話番号指定手段とを備えたことを特徴とする車載電話機の通話先指定装置。
【請求項４】
車両の現在位置が上記目的地から所定範囲内に近づいたかどうかを判定する位置判定手段を備え、
上記表示手段は、上記車両の現在位置が上記目的地から所定範囲内に近づいたことが上記位置判定手段により検出されたときに、上記アイコン情報記憶手段から上記アイコン情報を読み出して表示することを特徴とする請求項３に記載の車載電話機の通話先指定装置。
【請求項５】
上記表示手段は、上記ナビゲーション装置で上記目的地の設定が行われたときに、上記アイコン情報記憶手段から上記アイコン情報を読み出して表示することを特徴とする請求項３に記載の車載電話機の通話先指定装置。
【請求項６】
ナビゲーション装置で目的地の設定を行うときに、上記目的地に電話をかけるか否かの設定を行う電話オン／オフ設定手段と、
上記電話オン／オフ設定手段により上記目的地に電話をかけることが設定されている場合に、所定のタイミングで、各種施設に関して電話番号を含む各種情報を記憶した施設リストを参照して、上記目的地の電話番号を通話先として指定する電話番号指定手段とを備えたことを特徴とする車載電話機の通話先指定装置。
【請求項７】
車両の現在位置が上記目的地から所定範囲内に近づいたかどうかを判定する位置判定手段を備え、
上記電話番号指定手段は、上記電話オン／オフ設定手段により上記目的地に電話をかけることが設定されている場合において、上記車両の現在位置が上記目的地から所定範囲内に近づいたことが上記位置判定手段により検出されたときに、上記施設リストを参照して、上記目的地の電話番号を通話先として指定することを特徴とする請求項６に記載の車載電話機の通話先指定装置。
【請求項８】
上記目的地に代えてまたは加えて経由地を用い、当該経由地の電話番号を通話先として指定するようにしたことを特徴とする請求項１〜７の何れか１項に記載の車載電話機の通話先指定装置。
【請求項９】
ナビゲーション装置で設定される目的地に電話をかける行為を表した電話メニュー項目をメニュー情報の一部として画面上に表示するステップと、
上記画面上に表示された上記電話メニュー項目がユーザにより選択された場合に、各種施設に関して電話番号を含む各種情報を記憶した施設リストを参照して、上記目的地の電話番号を通話先として指定するステップとを有することを特徴とする車載電話機の通話先指定方法。
【請求項１０】
ナビゲーション装置で目的地が設定されている場合に、上記目的地に電話をかける行為を表したアイコンを画面上に表示するステップと、上記画面上に表示されたアイコンがユーザにより選択された場合に、各種施設に関して電話番号を含む各種情報を記憶した施設リストを参照して、上記目的地の電話番号を通話先として指定するステップとを有することを特徴とする車載電話機の通話先指定方法。
【請求項１１】
ナビゲーション装置で目的地の設定を行うときに、上記目的地に電話をかけるか否かの設定を行うステップと、
上記目的地に電話をかけることが設定されている場合に、所定のタイミングで、各種施設に関して電話番号を含む各種情報を記憶した施設リストを参照して、上記目的地の電話番号を通話先として指定するステップとを有することを特徴とする車載電話機の通話先指定方法。
【発明の詳細な説明】
【０００１】
【発明の属する技術分野】
本発明は車載電話機の通話先指定装置および方法に関し、特に、ナビゲーション装置で設定した目的地あるいは経由地に対する通話先指定方式に関するものである。
【０００２】
【従来の技術】
一般に、車両の走行案内を行うナビゲーション装置は、単に現在地周辺の地図を表示するのみでなく、目的地を指定することにより、現在地から目的地までの誘導経路を自動設定して案内する機能を備えている。この経路誘導機能では、地図データを用いて現在地から目的地までを結ぶ最もコストが小さな経路を、幅優先探索（ＢＦＳ）法あるいはダイクストラ法などのシミュレーションを行って自動探索し、その探索した経路を誘導経路として設定する。
【０００３】
誘導経路の設定後は、車両の走行中に地図画像上で誘導経路を他の道路と識別可能なように色を変えて太く描画する。また、車両が誘導経路上の案内交差点から所定距離内に近づいたときに、交差点案内図（交差点拡大図とこの交差点での進行方向を示す矢印）を表示したり、進行方向を音声で案内したりするなどの交差点案内を行うことにより、運転者を目的地まで案内するようになっている。
【０００４】
また、近年では、携帯電話の機能を備えたナビゲーション装置、いわゆる「通信ナビゲーション装置」が提供されている。この通信ナビゲーション装置を用いれば、通常の音声通話の他、インターネット上のサーバからのデータのダウンロードや車々間通信によるデータ交換などを行うことができる。このうち音声通話機能を利用して電話をかける際には、タッチパネル画面に表示されたテンキーや、リモコンに備えられたテンキーなどを操作して相手先の電話番号を入力することにより、通話先の相手を指定する。
【０００５】
車両の走行中に電話をかける場面は様々である。その１つに、ナビゲーション装置で設定した目的地に電話をかける場合がある。例えば、目的地に向かって走行している途中において、渋滞などの予定外の事態が発生した場合など、目的地に到着する時間を変更したい状況がよく発生する。また、目的地の施設におけるイベントの実施時間やレストランの予約などを確認するために、当該施設に電話をすることも良くある。
【０００６】
このような場合、運転者は目的地に電話をかけ、連絡や情報収集をしようとする。ただ、設定する目的地はいつも同じであるとは限らず、運転者は目的地の電話番号を覚えていないのが一般的である。そこで、目的地に電話をかけようとする運転者は、ヘッドセットを装着して通信ナビゲーション装置を操作し、電子的に格納されている電話帳に登録してある電話番号を読み出す。そして、読み出された電話番号を覚えて、ダイヤルメニュー上からテンキーで電話番号を入力することによって通話を開始する。また、ナビゲーション装置が備える施設リストから目的地の施設を検索し、「施設に電話する」のようなボタンを押すことによって通話を開始する場合もある。
【０００７】
【発明が解決しようとする課題】
しかしながら、このように目的地に電話をかけるために行う一連の操作は、操作数が多いため操作の完了までに多くの時間がかかってしまうという問題があった。また、このように煩雑な操作を走行中に行うことは、運転者の運転に対する注意が削がれて好ましくないという問題もあった。
【０００８】
本発明は、このような問題を解決するために成されたものであり、電話番号を覚えていることが少ない目的地に対して簡易な操作で電話をかけることができるようにすることを目的とする。
【０００９】
【課題を解決するための手段】
上記した課題を解決するために、本発明においては、メニュー情報の一部に「目的地に電話をかける」という電話メニュー項目を用意しておき、この項目がユーザにより選択されたときに、施設リストから目的地の電話番号を取得して通話先として指定するようにしている。上述の電話メニュー項目は、階層構造の最上層または上から２番目の階層に属するのが好ましい。
【００１０】
このように構成した本発明によれば、少なくとも１階層または２階層のメニュー操作のみで目的地の電話番号を通話先として指定することが可能となり、従来に比べて簡易な操作で目的地に電話をかけることが可能となる。
【００１１】
本発明の他の態様では、「目的地に電話をかける」ことを表したアイコンを画面上に表示し、このアイコンがユーザにより選択されたときに、施設リストから目的地の電話番号を取得して通話先として指定するようにしている。アイコンを表示するタイミングは任意である。例えば、目的地の設定時、あるいは、車両の現在位置が目的地から所定範囲内に近づいたときなどにアイコンを表示する。
【００１２】
このように構成した本発明によれば、特にメニュー操作をすることなく、画面上に表示されたアイコンを選択する操作を１回行うのみで目的地の電話番号を通話先として指定することが可能となり、従来に比べて簡易な操作で目的地に電話をかけることが可能となる。
【００１３】
本発明の他の態様では、目的地の設定時に電話をかけるか否かのオン／オフも設定しておき、これがオンに設定されているときは、所定のタイミングで（例えば、車両の現在位置が目的地から所定範囲内に近づいたとき）、施設リストから目的地の電話番号を取得して通話先として指定するようにしている。
【００１４】
このように構成した本発明によれば、走行前の目的地設定時に電話をかける旨の設定をしておけば、所定のタイミングで目的地の電話番号を通話先として自動的に指定することが可能となり、従来に比べて簡易な操作で目的地に電話をかけることが可能となる。
【００１５】
【発明の実施の形態】
（第１の実施形態）
以下、本発明による第１の実施形態を図面に基づいて説明する。図１は、第１の実施形態による車載電話機の通話先指定装置を適用した通信ナビゲーション装置の構成例を示すブロック図である。
【００１６】
図１において、１１はＤＶＤ−ＲＯＭ等の地図記憶媒体であり、地図表示や経路探索等に必要な各種の地図データを記憶している。ここでは地図データを記憶する記録媒体としてＤＶＤ−ＲＯＭ１１を用いているが、ＣＤ−ＲＯＭ、ハードディスク等の他の記録媒体を用いても良い。１２はＤＶＤ−ＲＯＭ制御部であり、ＤＶＤ−ＲＯＭ１１からの地図データの読み取りを制御する。
【００１７】
ＤＶＤ−ＲＯＭ１１に記録された地図データには、地図表示に必要な各種のデータから成る描画ユニットと、マップマッチングや経路探索、経路案内等の各種の処理に必要なデータから成る道路ユニットと、交差点の詳細データから成る交差点ユニットとが含まれている。上述した描画ユニットには、建物あるいは河川等を表示するために必要な背景レイヤのデータや、市町村名や道路名等を表示するために必要な文字レイヤのデータなどが含まれている。
【００１８】
また、この地図データには、地図上に存在する建物や施設、観光地などに関するデータ（位置、住所、電話番号、ジャンルなどの各種情報を格納した施設リスト）も含まれている。
【００１９】
上述の道路ユニットは、交差点や分岐など複数の道路が交わる点に対応するノードと、道路や車線等に対応するリンクとを含んでいる。また、各リンクに関する詳細な情報を格納したリンクレコードは、リンクの距離、リンクのコスト、道路種別フラグ等の情報を含んでいる。
【００２０】
リンクの距離は、当該リンクに対応した実際の道路の実距離を示す。リンクのコストは、そのリンクを走行する場合の所要時間を道路種別、法定速度等から計算により求めて、そのリンクの通過に必要な時間を例えば分単位で示したものである。道路種別フラグは、そのリンクに対応した実際の道路が高速道路であるか一般道路であるかといった種別を示す。
【００２１】
１３は車両の現在位置を測定する位置測定装置であり、自立航法センサ、ＧＰＳ受信機、位置計算用ＣＰＵ等を備えて構成されている。自立航法センサは、所定走行距離毎に１個のパルスを出力して車両の移動距離を検出する車速センサ（距離センサ）と、車両の回転角度（移動方位）を検出する振動ジャイロ等の角速度センサ（相対方位センサ）とを含んでいる。自立航法センサは、これらの車速センサおよび角速度センサによって車両の相対位置および方位を検出する。
【００２２】
位置計算用ＣＰＵは、自立航法センサから出力される自車の相対的な位置および方位のデータに基づいて、絶対的な自車位置（推定車両位置）および車両方位を計算する。また、ＧＰＳ受信機は、複数のＧＰＳ衛星から送られてくる電波をＧＰＳアンテナで受信して、３次元測位処理あるいは２次元測位処理を行って車両の絶対位置および方位を計算する（車両方位は、現時点における自車位置と１サンプリング時間ΔＴ前の自車位置とに基づいて計算する）。
【００２３】
１４は地図情報メモリであり、ＤＶＤ−ＲＯＭ制御部１２の制御によってＤＶＤ−ＲＯＭ１１から読み出された地図データを一時的に格納する。すなわち、ＤＶＤ−ＲＯＭ制御部１２は、位置測定装置１３から車両現在位置の情報を入力して、その車両現在位置を含む所定範囲の地図データの読み出し指示を出力することにより、地図表示や誘導経路の探索に必要な地図データをＤＶＤ−ＲＯＭ１１から読み出して地図情報メモリ１４に格納する。
【００２４】
１５はメニュー情報記憶部であり、目的地に対して電話をかける行為を表した電話メニュー項目を含むメニュー情報を記憶する。このメニュー情報は、複数のメニュー項目が複数の階層に亘ってツリー状に関連付けられたものである。上述の電話メニュー項目は、例えば上から２番目の階層に属する。
【００２５】
図２は、このメニュー情報に従って画面表示されるメニューの遷移例を示す図である。図２に示すように、ユーザがメニュー選択操作を指示したときに最初に表示されるトップメニューには、「電話番号検索」というメニュー項目が含まれている。この項目を選択すると、トップメニューから第２階層の電話番号検索メニューに遷移する。この電話番号検索メニューには、「目的地へ電話をかける」という電話メニュー項目が含まれている。
【００２６】
ユーザは、電話番号検索メニュー中からこの電話メニュー項目を選択することにより、後述するように目的地の電話番号を通話先として指定して自動的に電話をかけることが可能である。
【００２７】
なお、ここでは電話メニュー項目を第２階層に設ける例について説明したが、第１階層のトップメニュー中に設けるようにしても良い。また、第２階層の電話メニュー項目は、「電話番号検索」というメニュー項目が選択されたときに常に表示するようにしても良いが、目的地が設定されている場合に限って表示するようにしても良い。
【００２８】
１６はリモコン等の操作部であり、ユーザがナビゲーション装置に対して各種の情報（例えば、経路誘導の目的地や経由地）を設定したり、各種の操作（例えば、メニュー選択操作、拡大／縮小操作、手動地図スクロール、数値入力など）を行ったりするための各種操作子（ボタンやジョイスティック等）を備えている。１７はリモコンインタフェースであり、リモコン１６からその操作状態に応じた赤外線信号を受信する。
【００２９】
１８はプロセッサ（ＣＰＵ）であり、ナビゲーション装置の全体を制御する。１９はＲＯＭであり、各種プログラム（誘導経路探索プログラム、通話先指定プログラム等）を記憶する。２０はＲＡＭであり、各種処理の過程で得られるデータや、各種処理の結果得られるデータを一時的に格納する。
【００３０】
上述のＣＰＵ１８は、ＲＯＭ１９に記憶されている誘導経路探索プログラムに従って、地図情報メモリ１４に格納された地図データを用いて、現在地から目的地までを結ぶ最もコストが小さな誘導経路を探索する処理を行う。２１は誘導経路メモリであり、ＣＰＵ１８が探索した誘導経路のデータを記憶する。誘導経路のデータは、出発地から目的地まで至る各ノードに対応させて、各ノードの位置と、各ノードが交差点か否かを表す交差点識別フラグとを記憶したものである。
【００３１】
すなわち、リモコン１６の操作によって経路探索の目的地が設定されると、ＣＰＵ１８は、その目的地データを誘導経路メモリ２１に格納する。また、リモコン１６の操作によって経路探索の指示が出されると、そのときの自車位置を出発地データに設定して誘導経路メモリ２１に格納する。そして、誘導経路メモリ２１に格納された出発地と目的地との間を結ぶ走行経路を、時間最短、距離最短、料金最小等の条件下で探索し、その探索結果を誘導経路メモリ２１に格納する。
【００３２】
２２は交差点拡大図メモリであり、誘導経路中にある全誘導対象交差点の拡大図のデータ（目的地に向けて車両を案内するための交差点拡大図、行先、進行方向矢印の画像）を一時的に格納する。この交差点拡大図のデータも、ＤＶＤ−ＲＯＭ制御部１２の制御によってＤＶＤ−ＲＯＭ１１から適宜読み出される。
【００３３】
上述のＣＰＵ１８はまた、ＲＯＭ１９に記憶されている通話先指定プログラムに従って、電話をかける際の通話先を指定する処理も実行する。具体的には、図２に示した電話メニュー項目が選択されたか否かを監視する。そして、当該電話メニュー項目の選択を検知した場合には、ＤＶＤ−ＲＯＭ１１あるいは地図情報メモリ１４に格納されている施設リストと、誘導経路メモリ２１に格納されている目的地とを参照して、目的地の電話番号を取得して通話先の電話番号として指定する。このようにＣＰＵ１８は、本発明の電話番号指定手段を構成する。
【００３４】
２３はディスプレイコントローラであり、地図情報メモリ１４に格納された地図データに基づいて、表示装置２９への表示に必要な地図画像データを生成する。２４はビデオＲＡＭであり、ディスプレイコントローラ２３によって生成された画像データを一時的に格納する。すなわち、ディスプレイコントローラ２３によって生成された画像データはビデオＲＡＭ２４に一時的に格納され、１画面分の画像データが読み出されて画像合成部２８に出力される。
【００３５】
２５はメニュー発生部であり、リモコン１６を用いて各種の操作を行う際に必要なメニュー画像を発生して出力する。すなわち、メニュー発生部２５は、リモコン１６の操作によりメニュー選択操作が指示されたときに、メニュー情報記憶部１５から上述したメニュー情報を読み出して、例えば図２に示したようなメニュー画像を発生して出力する。
【００３６】
２６は誘導経路発生部であり、誘導経路メモリ２１に記憶された経路探索処理の結果を使用して、誘導経路の描画データを発生する。すなわち、誘導経路メモリ２１に記憶された誘導経路データの中から、その時点でビデオＲＡＭ２４に描画された地図エリアに含まれるものを選択的に読み出し、地図画像に重ねて他の道路と異なる所定色で太く強調した誘導経路を描画する。また、自車が誘導経路前方にある案内交差点から所定距離内に接近したときに、交差点拡大図メモリ２２に格納された交差点拡大図データに基づいて、接近中である交差点の案内図の画像を生成して出力する。
【００３７】
２７はマーク発生部であり、マップマッチング処理された後の自車位置に表示する車両位置マークや、ガソリンスタンドやコンビニエンスストア等を表示する各種ランドマーク等を発生して出力する。なお、マップマッチング処理とは、地図情報メモリ１４に読み出されている地図データと、位置測定装置１３によって測定されたＧＰＳ受信機による自車位置および車両方位のデータと、自立航法センサによる推定車両位置および車両方位のデータとを用いて、自車の走行位置を地図データの道路上に位置修正する処理のことを言う。
【００３８】
２８は画像合成部であり、各種画像を合成して出力する。すなわち、ディスプレイコントローラ２３により読み出された地図画像データに対して、メニュー発生部２５、誘導経路発生部２６、マーク発生部２７のそれぞれから出力される各画像データを重ねて画像合成を行い、表示装置２９に出力する。
【００３９】
これにより、表示装置２９の画面上には、自車周辺の地図情報が車両位置マークや目的地マーク等と共に表示される。また、この地図上に誘導経路が表示されるとともに、車両の位置が案内交差点近傍に近づいたときに交差点拡大図が表示される。さらに、メニュー選択操作が指示されたときには、図２のようなメニュー画像が表示される。以上の説明から分かるように、メニュー発生部２５、画像合成部２８および表示装置２９は、本発明の表示手段を構成する。
【００４０】
３０は音声発生部であり、交差点案内の音声や、各種操作案内の音声などを発声する。３１はスピーカであり、音声発生部３０により発生された音声を外部に出力する。３２は携帯電話機能を内蔵した通信部であり、通話に関する処理を行う。この通信部３２は、ＣＰＵ１８による通話先指定プログラムの実行結果として指定された目的地の電話番号を当該ＣＰＵ１８から受けて、目的地に電話をかける処理を実行する。
【００４１】
次に、上記のように構成した本実施形態によるナビゲーション装置を用いて目的地に電話をかける際の動作について説明する。目的地に電話をかけたいとき、ユーザは、リモコン１６を操作してメニューの表示を指示する。この指示が出されると、メニュー発生部２５は、メニュー画像を発生して画像合成部２８に出力し、これによってメニュー画像を表示装置２９に表示する。
【００４２】
このとき、最初は図２（ａ）のようなトップメニューが表示装置２９に表示される。ユーザがリモコン１６を操作してこのトップメニュー中から「電話番号検索」というメニュー項目を選択すると、メニュー発生部２５および画像合成部２８は、図２（ｂ）のような電話番号検索メニューを表示装置２９に表示する。
【００４３】
さらに、ユーザがリモコン１６を操作してこの電話番号検索メニューの中から「目的地へ電話をかける」という電話メニュー項目を選択すると、ＣＰＵ１８は、ＤＶＤ−ＲＯＭ１１あるいは地図情報メモリ１４に格納されている施設リスト情報と、誘導経路メモリ２１に格納されている目的地情報とを参照して、目的地の電話番号を取得して通話先として指定する。そして、指定した目的地の電話番号を通信部３２に供給する。
【００４４】
通信部３２は、ＣＰＵ１８から供給された目的地の電話番号に電話をかける処理を実行する。以上のようにしてユーザは、メニュー情報から第２階層の電話メニュー項目を選択することにより、目的地の電話番号を通話先として指定して自動的に電話をかけることができる。
【００４５】
以上詳しく説明したように、第１の実施形態によれば、メニュー情報の一部に「目的地に電話をかける」という電話メニュー項目を用意しておき、この項目がユーザにより選択されたときに、施設リストから目的地の電話番号を取得して通話先として指定するようにしている。
【００４６】
ここで、上述の電話メニュー項目は、階層構造の上から２番目の階層に属するように構成しているので、２階層のメニュー操作のみで目的地を通話先として指定することができる。電話メニュー項目を階層構造の最上層に設ければ、１階層のメニュー操作のみで目的地を通話先として指定することができる。これにより、従来に比べて簡易な操作で目的地に電話をかけることができる。
【００４７】
すなわち、目的地の電話番号を読み出したり入力したりする際の操作量を削減することができ、短時間で通話を開始することができる。また、目的地となる施設の電話番号を事前に電話帳に登録する煩雑な操作を行う必要がなく、単に目的地を設定するだけで、当該目的地に電話をかけることができる。さらに、２階層を越える不要な操作を削減することにより、走行中の主タスクである運転操作に与える影響を少なくすることができ、走行中でも目的地に対して安全に電話をかけることができる。
【００４８】
なお、上記実施形態では、ナビゲーション装置自体が携帯電話機能（通信部３２）を備える構成について示したが、図３に示すように、ナビゲーション装置１と、電話機を持たずに相手との通話を可能にするハンズフリー装置２とを備え、これらをバス３を介して接続する構成としても良い。この場合、ナビゲーション装置１は、図１に示した構成において通信部３２の代わりに、ハンズフリー装置２との間で目的地の電話番号を含む種々のデータ通信を行うための通信インタフェースを備えることになる。
【００４９】
また、上記実施形態では、ＣＰＵ１８によって通話先が指定されたときに通信部３２によって自動的に電話をかける例について説明したが、通信部３２が備えられていないナビゲーション装置の場合は、指定された電話番号を表示装置２９に表示する。ユーザは、表示された電話番号を携帯電話機に入力して電話をかける。この場合は、目的地に対して自動的に電話をかけることはできないが、目的地の電話番号を簡単な操作で確認することができる。
【００５０】
また、上記実施形態では、２階層のメニュー操作をリモコン１６により行う例について説明したが、表示装置２９をタッチパネルで構成することにより、当該タッチパネルのタッチ操作により行うようにしても良い。また、音声コマンドをマイクから入力し、入力された発話音声を認識してナビゲーション装置を制御する音声認識技術を利用してメニュー操作するようにしても良い。
【００５１】
（第２の実施形態）
次に、本発明の第２の実施形態について説明する。図４は、第２の実施形態による車載電話機の通話先指定装置を適用した通信ナビゲーション装置の構成例を示すブロック図である。なお、この図４において、図１に示した符号と同一の符号を付したブロックは同一の機能を有するものであるので、ここでは重複する説明を省略する。
【００５２】
図４に示す第２の実施形態では、アイコン情報記憶部３３を更に備えている。また、図１に示したメニュー発生部２５の代わりに、メニュー／アイコン発生部３４を備えている。アイコン情報記憶部３３は、目的地に電話をかける行為を表したアイコン情報を記憶する。メニュー／アイコン発生部３４は、上述したメニュー発生部２５の機能に加えて、目的地に電話をかける際に必要なアイコン画像を発生して出力する機能を有する。すなわち、メニュー／アイコン発生部３４は、必要なときにアイコン情報記憶部３３からアイコン情報を読み出して、アイコン画像を発生する。
【００５３】
メニュー／アイコン発生部３４がアイコン画像を発生するタイミングは任意に決めることができる。例えば、位置測定装置１３により測定される車両の現在位置が、誘導経路メモリ２１に記憶されている目的地から所定範囲内に近づいたときに、アイコン画像を発生する。目的地から所定範囲内に近づいたときとは、例えば、車両が目的地から所定距離だけ手前の地点に到達したとき、あるいは、目的地に対する到着予想時刻の所定時間前になったときなどである。
【００５４】
この場合において、車両の現在位置が目的地から所定範囲内に近づいたか否かは、ＣＰＵ１８が判断する。ＣＰＵ１８が、車両が目的地から所定範囲内に近づいたことを検知すると、そのことをメニュー／アイコン発生部３４に伝えてアイコン画像を発生させる。このようにＣＰＵ１８は、本発明の位置判定手段を構成する。
【００５５】
また、上述のアイコン画像は、目的地の設定が行われた時点で一定の時間だけ発生するようにしても良い。さらに、目的地が設定されてから一定の時間間隔で断続的にアイコン画像を発生するようにしても良い。
【００５６】
何れにしても、メニュー／アイコン発生部３４によってアイコン画像が発生されると、画像合成部２８は、地図画像データに対して、当該アイコン画像を重ねて画像合成を行い、表示装置２９に出力する。これにより、表示装置２９の画面上には、図５のように、自車周辺の地図画像上において車両位置マーク５１等と共に電話アイコン５２が表示される。以上の説明から分かるように、本実施形態においては、メニュー／アイコン発生部３４、画像合成部２８および表示装置２９によって本発明の表示手段が構成される。
【００５７】
ＣＰＵ１８は、ＲＯＭ１９に記憶されている通話先指定プログラムに従って、図５のように表示された電話アイコン５２がユーザにより選択されたか否かを監視する。なお、電話アイコン５２の選択は、当該電話アイコン５２が表示されている間にリモコン１６の決定ボタンを押すことなどによって選択することができる。また、表示装置２９をタッチパネルで構成した場合は、電話アイコン５２をタッチすることによって選択することができる。さらに、音声コマンドを入力することによって選択するようにしても良い。
【００５８】
電話アイコン５２が選択されると、ＣＰＵ１８は、ＤＶＤ−ＲＯＭ１１あるいは地図情報メモリ１４に格納されている施設リスト情報と、誘導経路メモリ２１に格納されている目的地情報とを参照して、目的地の電話番号を取得して通話先の電話番号として指定する。
【００５９】
以上詳しく説明したように、第２の実施形態によれば、「目的地に電話をかける」ことを表したアイコンを画面上に表示し、このアイコンがユーザにより選択されたときに、施設リストから目的地の電話番号を取得して通話先として指定するようにしたので、特にメニュー操作をすることなく、画面上に表示されたアイコンを選択するという操作を１回行うのみで目的地の電話番号を通話先として指定することができ、更に簡易な操作で目的地に電話をかけることができる。
【００６０】
（第３の実施形態）
次に、本発明の第３の実施形態について説明する。第３の実施形態によるナビゲーション装置の構成は、図１に示したのと同様である。ただし、メニュー情報記憶部１５は、図２（ｂ）に示した電話メニュー項目をメニュー情報の一部として記憶していても記憶していなくても良い。
【００６１】
第３の実施形態では、図６に示すように、ユーザがリモコン１６を操作して目的地の設定を行うときに、目的地に対して電話をかけるか否かの設定も行う。すなわち、図６（ａ）において「ここに行く」というメニュー項目を選択して目的地を設定すると、図６（ｂ）に示すような電話をかけるか否かの設定メニューに遷移する。ユーザは、この設定メニュー上で、目的地に電話をかけるか否かを選択する。この設定情報は、ＲＡＭ２０またはＣＰＵ１８の図示しないレジスタ等のメモリに記憶される。
【００６２】
このように、図６に示すようなメニュー操作を行うためのリモコン１６、当該メニュー操作の制御を行うＣＰＵ１８、当該メニュー操作により設定された電話をかけるか否かのオン／オフ情報を記憶するメモリ（ＲＡＭ２０など）によって、本発明の電話オン／オフ設定手段が構成される。
【００６３】
目的地に電話をかけることが設定された場合には、ＣＰＵ１８は、走行中に車両の現在位置が目的地から所定範囲内に近づいたか否かを監視する。車両が目的地から所定範囲内に近づいたことを検知すると、ＤＶＤ−ＲＯＭ１１あるいは地図情報メモリ１４に格納されている施設リスト情報と、誘導経路メモリ２１に格納されている目的地情報とを参照して、目的地の電話番号を取得して通話先として指定する。そして、通信部３２を用いて自動的に電話をかける。電話をかける前に、その旨を音声や画面表示によって搭乗者に報知するようにしても良い。
【００６４】
なお、ここでは目的地に電話をかけるか否かのオン／オフのみを設定する例について説明したが、電話をかける場合に、どのタイミングで電話をかけるか（車両が目的地から何キロ手前の地点に到達したときに電話をかけるか、あるいは、目的地への到着予想時刻に対して何分前になったときに電話をかけるかなど）を更に設定できるようにしても良い。
【００６５】
以上詳しく説明したように、第３の実施形態によれば、目的地の設定時に電話をかけるか否かのオン／オフも設定しておき、所定のタイミングで施設リストから目的地の電話番号を取得して通話先として指定するようにしたので、走行前（停車時）の目的地設定時に電話をかける旨の設定をしておけば、走行中にユーザは何の操作を行うこともなく、目的地の電話番号を指定して自動的に電話をかけることができ、更に簡易的に目的地に電話をかけることができる。
【００６６】
なお、以上第１〜第３の実施形態では、目的地に電話をかける場合を例にとって説明したが、経由地に電話をかける場合にも、第１〜第３の実施形態を同様に適用することが可能である。
【００６７】
その他、上記第１〜第３の実施形態は、何れも本発明を実施するにあたっての具体化の一例を示したものに過ぎず、これらによって本発明の技術的範囲が限定的に解釈されてはならないものである。すなわち、本発明はその精神、またはその主要な特徴から逸脱することなく、様々な形で実施することができる。
【００６８】
【発明の効果】
以上説明したように本発明によれば、通話する頻度は高いものの電話番号を覚えていることが少ない目的地や経由地に対して、非常に簡易な操作で電話をかけることができるようになる。
【図面の簡単な説明】
【図１】第１の実施形態による車載電話機の通話先指定装置を適用した通信ナビゲーション装置の構成例を示すブロック図である。
【図２】第１の実施形態に係るメニュー画面の遷移例を示す図である。
【図３】通話先指定装置の他の適用例を示す車載機の構成を示すブロック図である。
【図４】第２の実施形態による車載電話機の通話先指定装置を適用した通信ナビゲーション装置の構成例を示すブロック図である。
【図５】第２の実施形態に係るナビゲーション画面の表示例を示す図である。
【図６】第３の実施形態に係るメニュー画面の遷移例を示す図である。
【符号の説明】
１１  ＤＶＤ−ＲＯＭ
１２  ＤＶＤ−ＲＯＭ制御部
１３  位置測定装置
１４  地図情報メモリ
１５  メニュー情報記憶部
１６  リモコン
１７  リモコンインタフェース
１８  ＣＰＵ
１９  ＲＯＭ
２０  ＲＡＭ
２１  誘導経路メモリ
２２  交差点拡大図メモリ
２３  ディスプレイコントローラ
２４  ビデオＲＡＭ
２５  メニュー発生部
２６  誘導経路発生部
２７  マーク発生部
２８  画像合成部
２９  表示装置
３０  音声発生部
３１  スピーカ
３２  通信部
３３  アイコン情報記憶部
３４  メニュー／アイコン発生部
【図１】
2004320564.tif 000003
【図２】
2004320564.tif 000004
【図３】
2004320564.tif 000005
【図４】
2004320564.tif 000006
【図５】
2004320564.tif 000007
【図６】
2004320564.tif 000008